(57)【要約】 【課題】カメラ又はマイク、超小型コンピュータ、メモリーを一体的に小型・軽量にまとめ、帽子やヘルメット、或いは衣服に装着して簡便に画像や音声の流し撮りができると共に、使用するものに装着の違和感を感じさせず、通常の業務遂行の支障にもならず、使い勝手の良い小型記録装置を提供する。【解決手段】超小型コンピュータ１をデータ保存用のカード型のメモリー２と略同サイズ又は小サイズに形成し、メモリー２を超小型コンピュータ１に積層配置すると共に、超小型コンピュータを介してメモリーに画像又は（及び）音声を保存するための撮像手段又は（及び）録音手段を接続配置した。【選択図】図１
2006174416.tif 000002
【特許請求の範囲】
【請求項１】
超小型コンピュータ１をデータ保存用のカード型のメモリー２と略同サイズ又は小サイズに形成し、メモリー２を超小型コンピュータ１に積層配置すると共に、超小型コンピュータ１を介してメモリー２に画像を保存するための撮像手段５を装着して成ることを特徴とする小型記録装置。
【請求項２】
超小型コンピュータ１をデータ保存用のカード型のメモリー２と略同サイズ又は小サイズに形成し、メモリー２を超小型コンピュータ１に積層配置すると共に、超小型コンピュータ１を介してメモリー２に音声を保存するための録音手段６を装着して成ることを特徴とする小型記録装置。
【請求項３】
超小型コンピュータ１及び電源１７をデータ保存用のカード型のメモリー２と略同サイズ又は小サイズに形成し、メモリー２及び電源１７を超小型コンピュータ１に積層配置すると共に、超小型コンピュータ１を介してメモリー２に画像を保存するための撮像手段５を装着して成ることを特徴とする小型記録装置。
【請求項４】
超小型コンピュータ１及び電源１７をデータ保存用のカード型のメモリー２と略同サイズ又は小サイズに形成し、メモリー２及び電源１７を超小型コンピュータ１に積層配置すると共に、超小型コンピュータ１を介してメモリー２に音声を保存するための録音手段６を装着して成ることを特徴とする小型記録装置。
【請求項５】
データを遠隔地に送信するようにしたことを特徴とする請求項１乃至４に記載の小型記録装置。
【請求項６】
身に着ける素材がヘルメット、帽子、めがね類等、頭部に当接できる素材であって、スイッチ３２の操作を骨伝導により行なうようにしたことを特徴とする請求項１乃至５に記載の小型記録装置。
【請求項７】
ハウジング４の他面にディスプレイ１６を配設したことを特徴とする請求項１、３乃至６に記載の小型記録装置。
【発明の詳細な説明】
【技術分野】
【０００１】
本発明は、手術用、生産現場検証用、事故現場捜索用・検証用、スポーツ・探検記録用等、映像や音声を必要な時に記録したいシーンは簡単に記録できる画像や音声の小型記録装置に関する。
【背景技術】
【０００２】
例えば病院において手術が頻繁に行なわれ、全体を記録するものは手術室に設備として設置されているが、執刀医やそれをアシストするスタッフの個々の視線でそれを捉えるものはない。また、スポーツやイベントの記録用としては大掛かりなビデオ装置で対応しており、個々が対応するものとしては精々ハンドフリーなマイクで音声を捉えるに止まる。或いはＦ1レースなどの撮影シーンではＦ1にカメラを固定して映像を送るものがあるが、これはドライバーの意思、即ち観たいと思って眺める視線とは全く異なる視野に固定され、ドライバーの意思が反映されたものとは程遠い。
【０００３】
或いは、パーソナル用の小型ビデオカメラでの撮影もあらゆるシーンで活躍しているが、周知のようにファインダーや液晶の画面を覗いて撮影していると、そのファインダーからの狭い視野内しか見ることができず、特別な訓練を重ねた熟練者でなければ、人間の目による観察に比べて全体的な判断がしにくい欠点がある。即ち、目に見えるものや耳に聞こえる音声を記録したいシーンは数多いが、人間の生身の視線をそのままに正確に記録できるものがないのが実情である。
【０００４】
また、外科の手術の執刀医であれば、その視線は手術の作業中の細部を凝視し、事故現場の検証者はそのトラブルの要部を凝視している。或いはレスキュー現場での隊員は被害者の発見に目を凝らしている。しかしながら、その視線を正確に追って記録できるものがなく、その出現が望まれているのである。
【０００５】
しかも、従来の記録装置は、一体型のものは全体が大きく、最も小さいものでも名刺よりもひとまわり大きいものが最小サイズで、身に付けることが困難で、身に着けられるようにしたものは、カメラやマイクのような記録手段と電源などを別体としており、使い勝手が低い欠点は免れないものであった。
【特許文献１】特許公開２０００−３４１５６６
【特許文献２】特開平１１−１１００７１
【発明の開示】
【発明が解決しようとする課題】
【０００６】
そこで本発明者らは種々研究を重ねた結果、人間の視線に近い映像を簡単に、装着者に意識させず、また身体的な負担も殆どなく、通常の作業の遂行の支障になることもなく、簡便に記録することができる小型記録装置を提供しようとするものである。
【課題を解決するための手段】
【０００７】
本発明の主たる特徴は、超小型コンピュータ１をデータ保存用のカード型のメモリー２と略同サイズ又は小サイズに形成し、メモリー２を超小型コンピュータ１に積層配置すると共に、超小型コンピュータを介してメモリーに画像又は（及び）音声を保存するための撮像手段又は（及び）録音手段を接続配置したことである。
【発明の効果】
【０００８】
本発明にあっては上述のように、超小型コンピュータ１をデータ保存用のカード型のメモリー２と略同サイズ又は小サイズに形成し、メモリー２を超小型コンピュータ１に積層配置すると共に、超小型コンピュータを介してメモリーに画像又は（及び）音声を保存するための撮像手段又は（及び）録音手段を接続配置したものであるから、全体の大きさが略メモリーをやや大きくした程度の超小型に収まり、また重量も軽量もとなり、帽子やヘルメット、衣服の胸ポケット等に簡単に装着できるものである。
【０００９】
また小型軽量であるから、装着者にサイズや重さの負担が極めて少なく、殆ど意識することなく装着して通常の業務を遂行の支障となることがなく、画像や音声の記録ができるものである。
【００１０】
しかも、電源からメモリーまで画像や音声の記録に最小限必要な要素が単一のハウジングにパック（いわゆるオール・イン・ワン）した場合は、従来の本体と電源或いは操作部が分離したタイプに比べ、複数箇所に部材を装着する煩わしさもなく、装着個所は一箇所で済み、配線等も不要で、操作性も簡単となる。
【００１１】
また医療現場やシステムの点検等、記録を保存して残したい場合は、収録後、メモリーの内容を他のコンピュータ等に保存することができる。収納時間も、日常の保安等の用途の場合は、メモリーのサイズに応じて２時間とか、４時間とか必要な容量のものを使用して流し撮りをしておき、異常を確認したい場合にメモリーをチェックすることもできる。
【００１２】
メモリーとしては汎用のカード型を用いることができるので、安価で入手が容易であり、使い勝手も良く、今までコスト面からも特別な所でしか使用されなかった画像や音声の記録装置の用途を、コストに制約されることが少なくなり、広範囲の用途に拡大することができる。
【００１３】
このように本発明にあっては、小型、軽量で衣服等に簡単に装着できるので、精密で高画質（音質）な特別な記録をする場合を除いた日常的で簡便な流し記録用に適しており、特に作業場所が狭小で、携行部材を少しでも減らしたい現場や、手も他の作業で塞がっていて、記録装置の操作に使いづらい現場でも、簡単に使用することができて、記録可能な範囲を格段に拡大することにより、きめ細かい記録を行なえるものであって、今までは現場を見た担当者等の伝聞に拠っていたトラブルなどの状況を客観的で正確な記録として保存でき、トラブル原因の究明や予防に寄与できる利点があり、コスト面、人材面、装置のサイズや操作性の面等の点から従来は行なえなかった範囲まで画像、音声の収録できる範囲が広がるものである。
【発明を実施するための最良の形態】
【００１４】
（撮像基本例）
以下本発明を添付図面に基づき詳細に説明する。図１は本発明の最も基本的な実施例の概略を示すもので、プリント配線板にＣＰＵ、ＲＡＭ、ＲＯＭ、Ｍ−ＰＲＧ４等を実装した超小型（ボード）コンピュータ１にデジタルデータを記録するためのメモリー２を着脱自在に装着できるようになっている。３はその接続のためのスロット、３０はメモリー２挿入用のフレームである。メモリー２はカードタイプであり、必要な場合、無線ＬＡＮカードも使用可能となっている。ここで超小型コンピュータ１はメモリー２と最大投影面積が略同サイズであるが、可能であればメモリー２よりも小さくても構わない。この超小型コンピュータ１はメモリー２と実質的に最大投影面積が略同サイズ若しくはやや大きなハウジング４に収納される。
【００１５】
また、超小型コンピュータ１のメモリー２装着面と反対の面には超小型カメラのような撮像手段５が配置され、入出力部であるＵＳＢコネクタのような端子１９を介して必要に応じて外部のコンピュータなどの出力装置にデータが出力可能となっている。１２はハウジング４に設けられた開口で、マイクロカメラモジュールのような撮像手段５の透過窓である。１４は扉で、スロット３にメモリー２を接続した後、閉塞ロックされる。３１はメモリー２の取り出しボタンである。
【００１６】
ハウジング４の開口１２が施されていない面には面状ファスナーのような装着手段１５が施され、それにより装置全体を衣服のポケット部分や帽子、ヘルメット等に装着して使用することができる。図示の場合、雌雄面１５ａ、ｂにより構成される面状ファスナーが装着手段１５である。衣服等への装着手段は、面状ファスナー以外に、ゼムピン、フック、磁石等で任意である。また、これに使用される電源１７は電源端子１８を介して超小型コンピュータ１に給電される。この電源１７はまた、上記メモリー２と略同等若しくは小さな最大投影面積のバッテリーが使用され、メモリー２の厚み方向に積層配置される。
【００１７】
（録音基本例）
また、録音を目的とする場合は、超小型コンピュータ１のメモリー２装着面と反対の面にマイクのような録音手段６、必要に応じてスピーカ７が入出力部であるそれぞれの端子１０，１１を介して接続配置される。ハウジング４には録音手段６の集音窓１３が設けられる。
【００１８】
（撮像＋録音の応用例）
図２から図５は撮像手段５と録音手段６を併設した実施例であって、超小型コンピュータ１のメモリー２装着面と反対の面には撮像手段５、録音手段６、スピーカ７が入出力部であるそれぞれの端子９、１０，１１を介して接続配置される。ハウジング４には撮像手段５の透過窓１２と、録音手段６の集音窓１３が併設される。電源１７はメモリー２と略同等若しくは小さな最大投影面積のバッテリーが使用され、図５のようにメモリー２の厚み方向に積層配置される。
【００１９】
ここで、撮像手段５、録音手段６、コンピュータ１の操作用のため必要に応じてスイッチ３２をハウジング４の適所に設けることができる。また外部のコンピュータや、ロボットやその他の機器・装置の知能アイとして接続する用途に供される場合は、それらへ接続するため、拡張用にＵＳＢコネクタ１９、拡張コネクタ２０が適宜配置される。
【００２０】
（骨伝導スイッチ使用例）
例えば図７（ａ）のようにヘルメットに本発明装置Ａを装着した場合や、サングラスやゴーグルに本発明装置Ａを装着した場合、顔の骨格の動きを感じる部位に骨伝導受信機能を有するスイッチ３２を装着することにより、或いはその振動を感じるセンサを介して、歯の噛み合わせ振動などをスイッチのオン・オフの信号として使用することができる。このようにスイッチ３２として骨伝導タイプのものを用いると、手足が塞がっていても、歯を噛み合せることにより、それに応じてオン・オフや一時停止、再駆動等の操作を行なうことができるようになり、他の作業性を損なうことなく、口の動きを利用して本発明装置の操作を行なえるものである。
【００２１】
（ディスプレイ併設例）ハウジング４の撮像手段５が施されない面には必要に応じて図６のようにディスプレイ１６を配設することができる。ディスプレイ１６を配置した場合は、全面に面状ファスナーのような装着手段１５は設けられないので、ディスプレイ１６の周辺の全周又は一部に帯状の装着手段１５を施したり、上周縁にクリップなどの別途取り付け手段を施すなどすることができる。勿論、このディスプレイ１６を設けた場合でも、設けない場合でも、外部ディスプレイやコンピュータなどに接続して映像信号を取り出すことができる。
【００２２】
（送信機能を備えた例）
メモリー２としてＣＦ無線ＬＡＮカードのようなデータを遠隔地に送信できる機能を具えたものを使用したり、別途送信機能を付加することができる。このようにしておくと、本発明装置の装着者が画像や音声の発信元となり、遠隔地から情報を確認することができるものであり、遠隔監視のほか、救急隊員やレスキュー隊員より医師や本部へ画像や音声をリアタイムに送信して時を得た救急・緊急措置を講ずることができる。それ以外にも定点に設置したり、ロボットに搭載するなどすれば、防犯や災害情報の取得や状況の確認に活用できる。
【００２３】
（他の機器、部材等への組み込みの例）
上記例はハウジング４に収納された製品の例を示したが、他の装置やツールに組み込むことも可能である。例えばロボットに組み込んだり、ヘルメットやゴーグルに組み込んだり、ＡＴＭや高速道路のゲートに組み付けたりする場合は、ハウジング４は無くても良い。
【００２４】
（電源を外部に設置した例）
上記のいずれの実施例も、電池やバッテリーを電源１７として超小型コンピュータ１に積層したものであるが、商用電源が使用できる場所や、安定した電源が確保できる自動車や電車、飛行機、船等の移動体の場合は、上記積層内蔵の電源１７に代え、外部電源２７を使用することが出来る。その場合、外部電源２７の接続端子を設けて、アダプタを装着することにより、電源１７から外部電源２７に切り替えられるようにしても良いし、外部電源２７の仕様専用にしても構わない。
【００２５】
図７、図８は車載用監視記録装置の例で、電源端子１８には自動車のバッテリーのような外部電源２７よりシガーライターコネクタ２１を介して接続され給電される。２２はＤＣジャック、２３はＡＣ／ＤＣ変換器、２４はシガーライターコンセント、２５はトリガー調整、切替用スイッチである。また、商用電源を外部電源２７とする場合は、プラグにてコンセントに接続するようにすれば良く、バッテリーのような電源１７を使用する場合は、ＤＣジャック２２にその電源１７を接続し直せばいずれにも使い分けることができる。
【産業上の利用可能性】
【００２６】
本発明装置は、装着手段１５により、図７（ａ）のようにヘルメットや帽子４０、ゴーグルやサングラス、（ｂ）のように上着の胸ポケット４１等に装着し、或いは（ｃ）のように首から吊るして使用することができる。この（ｃ）場合、吊り紐が装着手段１５となる。図中Ａが本発明の小型記録装置である。そしてメモリー２の記録容量に応じて2時間とか、4時間とか、画像の流し撮り、音声の流し録音を行なうことができる。
【００２７】
本発明装置のサイズは、一例としてメモリーがＣＦカードの場合、サイズ４２×３６×５ｍｍ、重さ８ｇ程度だから、装置全体のサイズは従来にはない名刺の半分程度（例えば５５×５０×１５ｍｍ程度）、重さは４０〜６０ｇ程度に納まる。そして更に安定した外部電源２７が確保できる場合には、電池のような積層内蔵していた電源１７を外部に移すことにより、更に薄型とすることができて、狭小な場所への設置や、より小型のロボットや装置に組み込み、常時記録機能を付加することができる。
【００２８】
その他、メモリー２としては、ＣＦカード、ＣＦカードと同様サイズのコンパクトミニドライブ、その他、ＵＳＢフラッシュメモリー、ＳＤカード、ミニＳＤカード、スマートメディア、ｘＤカード（オリンパス商標）等、用途の容量とサイズに適したデジタルメモリー記録形でカードタイプものを主として選ぶことができるが、それ以外にアナログ記録型でも良い。また、ＵＳＢコネクタなどにより外部に出力が可能な状態に設定しておけば、ＲＡＭのようにそれ自体外部に取り出すことができないものであってもメモリー２として用いることもできる。更に電源１７も充電可能なカード型電池から、ボタン電池まで用途、サイズに応じて任意のものを選ぶことができる。
【００２９】
本発明にあって、電源１７を積層内蔵させた場合は、衣服などに本発明装置Ａを図７（ａ）乃至（Ｃ）のように帽子やヘルメット４０、或いは衣服の胸ポケット４１等に取り付けておくだけで、手術の過程の撮影、プラント・システム点検、パトカーの現場・巡回記録、ガードマンの巡回記録・接客記録、レスキュー隊現場記録、救急車から医師への画像送信による指示の遣り取り（送信機能を付加した場合）等に適用でき、またそれ以外でも日常的なウオッチング、子供や老人の行動記録等、保安や介護の面でも幅広く場所を選ばないで映像や音声の記録を行なうことができる。
【００３０】
そして事故やトラブルがあって確認したい時や記録をチェックしたい時はメモリー２を本発明装置より取り外し、別途パソコン等に差し込んで画像や音声を確認することができる。或いはメモリー２のデータ出力用にＵＳＢコネクタ１９を用いる場合は、このＵＳＢコネクタ１９を用い別途コンピュータやディスプレイ、スピーカ８等の外部機器に接続することができ、メモリー２を取り外さなくてもデータの内容を確認することができる。このような場合は、メモリー２としてはリムーバブルタイプの他、ＲＡＭのような固定型メモリーも使用することができる。
【００３１】
また送信機能付きのメモリー（無線ＬＡＮカード）を用いる場合には、上記救急隊の事例の他、ロボットの目や耳の機能部材としても使用することができ、災害時のレスキューロボットや、目の悪い人の目の代わりになって指令部より誘導案内をすることもできる。しかも監視用など、定点に固定配置して使用する場合でも、目立たないので、被撮影（録音）者にも撮られている不快感を感じさせないで監視用として配置できる。
【００３２】
このように本発明にあって、特に電源１７を積層内蔵させた場合は、カメラ、メモリー、本体及び電源まで含めたオール・イン・ワン状態のものが略メモリーサイズに納められるので、装着感が殆どなく、装着者は勿論、周囲にも、装着している意識を殆ど与えることなく、自然に負担なく画像や音声の流し撮りが行なえるものであり、行えるものである。また、超軽量、超小型であってウエアラブルに使用できるので、装着者は、手持ちの従来機器のように手を塞がれることもなく、通常の職務を普通に遂行できるものであって、取扱いが容易であり、作業者の視線に近い範囲の記録を残すことができる上に、撮像や録音のためにスタッフを本来の作業スタッフとは別途に確保することもないものであり、災害記録、救援活動、監視用記録、医療現場や製造現場での各種作業の記録、スポーツなどの記録、日常の記録等に適用できるものである。
【図面の簡単な説明】
【００３３】
【図１】本発明の一実施例の分解斜視図。
【図２】同上の他の実施例の分解斜視図。
【図３】同上の見る角度を変えた分解斜視図。
【図４】同上の一実施例のブロック図。
【図５】同上の概略断面図。
【図６】同上の他の実施例の要部を示す斜視図。
【図７】（ａ）、（ｂ）、（ｃ）は同上の使用状態説明図。
【図８】同上の更に他の実施例の分解斜視図。
【図９】同上のブロック図。
【符号の説明】
【００３４】
１は超小型コンピュータ。
２はメモリー。
３はメモリースロット。
４はハウジング。
５は撮像手段。
６は録音手段。
１５は装着手段。
１６はディスプレイ。
１７は電源。
２７は外部電源。
３２はスイッチ。
【図１】
2006174416.tif 000003
【図２】
2006174416.tif 000004
【図３】
2006174416.tif 000005
【図４】
2006174416.tif 000006
【図５】
2006174416.tif 000007
【図６】
2006174416.tif 000008
【図７】
2006174416.tif 000009
【図８】
2006174416.tif 000010
【図９】
2006174416.tif 000011